(57)【要約】      （修正有）【課題】仕事及び個人の予定の進捗をより管理し易い手帳を提供する。【解決手段】手帳は、作業項目ごとに、当該作業項目を記載する作業項目欄と、当該作業項目が仕事に関するものである場合にその旨を記載する仕事欄と、当該作業項目が個人に関するものである場合にその旨を記載する個人欄と、当該作業項目に関する第一の期間の予定を記載する第一の予定欄と、当該作業項目に関する前記第一の期間の次の第二の期間の予定を記載する第二の予定欄と、を備える。【選択図】図１
0003164859.tif 000002
【実用新案登録請求の範囲】
【請求項１】
手帳であって、
前記手帳の手帳シートは、作業項目ごとに、
当該作業項目を記載する作業項目欄と、
当該作業項目が仕事に関するものである場合にその旨を記載する仕事欄と、
当該作業項目が個人に関するものである場合にその旨を記載する個人欄と、
当該作業項目に関する第一の期間の予定を記載する第一の予定欄と、
当該作業項目に関する前記第一の期間の次の第二の期間の予定を記載する第二の予定欄と、を備える、
ことを特徴とする手帳。
【請求項２】
請求項１に記載の手帳であって、
前記第一の予定欄及び前記第二の予定欄は、前記作業項目欄の列と直交する方向に配置される、
ことを特徴とする手帳。
【請求項３】
請求項１又は２に記載の手帳であって、
前記手帳シートは、作業項目ごとに、
当該作業項目の重要度を記載する重要度欄を備える、
ことを特徴とする手帳。
【請求項４】
請求項１〜３いずれか一項に記載の手帳であって、
前記手帳シートは、作業項目ごとに、
前記第一の期間の予定の進捗状況を記載する進捗欄を備える、
ことを特徴とする手帳。
【請求項５】
請求項１〜４いずれか一項に記載の手帳であって、
前記第二の予定欄は、前記第一の予定欄よりもサイズが小さい、
ことを特徴とする手帳。
【請求項６】
請求項１〜５いずれか一項に記載の手帳であって、
前記手帳シートは、作業項目ごとに、
前記第一の予定欄及び前記第二の予定欄に加え、当該作業項目に関する一以上の期間の予定を記載する一以上の予定欄を備え、１ページに収まるように折り畳み可能である、
ことを特徴とする手帳。
【請求項７】
請求項１〜６いずれか一項に記載の手帳であって、
各欄は、前記手帳の上下見開きの状態において、縦方向に並ぶように配置される、
ことを特徴とする手帳。
【考案の詳細な説明】
【技術分野】
【０００１】
本考案は、手帳に関する。
【背景技術】
【０００２】
スケジュールを記載するための従来の手帳では、スケジュールを記載する欄（以下、「スケジュール欄」とも呼ぶ。）が時系列（例えば、月単位、週単位、日単位、時間単位）に配置されている。代表的な例では、１ページ内に、１日のスケジュールを記載する欄が縦方向に１週間分配置されている。この手帳のユーザは、予定がある日に対応するスケジュール欄に、その予定の概要などを記入することができる。
【考案の概要】
【考案が解決しようとする課題】
【０００３】
上述した従来の手帳では、ユーザの予定の内容は、対応する年、月、日、又は時間のスケジュール欄に記載される。複数の予定がある場合、それらの複数の予定は、通常、対応するスケジュール欄にそれぞれ記載される。そのため、ユーザが複数の予定の進捗を一見して把握することが難しく、進捗管理をするために使用するには使い勝手が悪い。予定の進捗管理を行うためには、例えば、別のページに予定ごとの進捗を記載するなどの工夫をユーザが行う必要がある。
【０００４】
また、上述の従来の手帳では、仕事の予定と個人（プライベート）の予定は、混在して記載されることが多い。そのため、ユーザが仕事の予定と個人の予定とを一見して判別しにくく、仕事と個人の両方の予定を管理するには使い勝手が悪い。
【０００５】
そこで、本考案は、仕事及び個人の予定の進捗をより管理し易い手帳を提供することを目的とする。
【課題を解決するための手段】
【０００６】
上記の課題を解決するための本発明の一態様は、
手帳であって、
前記手帳の手帳シートは、作業項目ごとに、
当該作業項目を記載する作業項目欄と、
当該作業項目が仕事に関するものである場合にその旨を記載する仕事欄と、
当該作業項目が個人に関するものである場合にその旨を記載する個人欄と、
当該作業項目に関する第一の期間の予定を記載する第一の予定欄と、
当該作業項目に関する前記第一の期間の次の第二の期間の予定を記載する第二の予定欄と、を備える、
ことを特徴とする。
【０００７】
ここで、上記の手帳であって、
前記第一の予定欄及び前記第二の予定欄は、前記作業項目欄の列と直交する方向に配置される、
ことを特徴としていてもよい。
【０００８】
また、上記のいずれかの手帳であって、
前記手帳シートは、作業項目ごとに、
当該作業項目の重要度を記載する重要度欄を備える、
ことを特徴としていてもよい。
【０００９】
また、上記のいずれかの手帳であって、
前記手帳シートは、作業項目ごとに、
前記第一の期間の予定の進捗状況を記載する進捗欄を備える、
ことを特徴としていてもよい。
【００１０】
また、上記のいずれかの手帳であって、
前記第二の予定欄は、前記第一の予定欄よりもサイズが小さい、
ことを特徴としていてもよい。
【００１１】
また、上記のいずれかの手帳であって、
前記手帳シートは、作業項目ごとに、
前記第一の予定欄及び前記第二の予定欄に加え、当該作業項目に関する一以上の期間の予定を記載する一以上の予定欄を備え、１ページに収まるように折り畳み可能である、
ことを特徴としていてもよい。
【００１２】
また、上記のいずれかの手帳であって、
各欄は、前記手帳の上下見開きの状態において、縦方向に並ぶように配置される、
ことを特徴としていてもよい。
【考案の効果】
【００１３】
本考案によれば、仕事及び個人の予定の進捗をより管理し易くなる。
【図面の簡単な説明】
【００１４】
【図１】本考案の一実施形態に係る手帳シートの例を示す図である。
【図２】本考案の一実施形態に係る手帳シートの記載例を示す図である。
【図３】本考案の一実施形態に係る手帳シートを用いた綴じ手帳の例を示す図である。
【図４】本考案の一実施形態に係る手帳シートを用いてシステム手帳の例を示す図である。
【図５】本考案の一実施形態に係る手帳シートの第一変形例を示す図である。
【図６】本考案の一実施形態に係る手帳シートの第二変形例を用いた綴じ手帳を示す図である。
【図７】本考案の一実施形態に係る手帳シートの第三変形例を示す図である。
【図８】本考案の一実施形態に係る手帳シートの第三変形例の記載例を示す図である。
【考案を実施するための形態】
【００１５】
以下、本考案の一実施形態について、図面を参照して説明する。
【００１６】
なお、図面に記載された手帳及び手帳シートのサイズ、縦横の比、各種欄のサイズ、数、縦横の比、余白、配置等は、手帳の形態やページのサイズ等に応じて適宜変更してよく、図面に記載された例に限定されるものではない。また、図面に記載された具体的な年月週日時は、一例であり、手帳に適用された場合にはページごとに適宜変更される。
【００１７】
図１は、本考案の一実施形態に係る手帳シートの例を示す図である。図２は、本考案の一実施形態に係る手帳シートの記載例を示す図である。図３は、本考案の一実施形態に係る手帳シートを用いた綴じ手帳の例を示す図である。図４は、本考案の一実施形態に係る手帳シートを用いてシステム手帳の例を示す図である。
【００１８】
手帳シート１は、綴じ手帳やシステム手帳などの各種の手帳に使用することができるシートである。手帳シート１の材質は、紙に限られず、例えば、ビニールなどの樹脂であってもよい。
【００１９】
手帳シート１は、記載欄３に含まれる各欄に記載されるべき内容を示す見出しを含む見出し欄２と、ユーザが記載する各種欄が含まれる記載欄３とを備えて構成される。見出し欄２に含まれる各見出しは、予め印刷される。もちろん、見出し欄２の少なくとも一部の見出しは、ユーザが記載できるように空白になっていてもよい。
【００２０】
記載欄３は、項目番号欄１０と、作業項目欄２０と、略分類欄３０（重要度欄３１、仕事チェック欄３２、個人チェック欄３３）と、第一の予定記載欄４０と、進捗チェック欄５０と、第二の予定記載欄６０と、備考欄７０とを、予定（作業項目）ごとに備えて構成される。作業項目欄２０の列（縦方向の配列）に対して、直交する方向（横方向）に、各作業項目に対応する略分類欄３０、第一の予定記載欄４０、進捗チェック欄５０、第二の予定記載欄６０、及び備考欄７０が配置されている。見出し欄２の各欄の見出しは、記載欄３の各欄と対応付けられている。
【００２１】
項目番号欄１０は、作業項目の識別番号が記載される欄である。なお、識別番号は、予め印刷されていてもよいし、ユーザが記載できるように空白となっていてもよい。また、番号に限られず、例えば、文字や記号などであってもよい。
【００２２】
作業項目欄２０は、ユーザの予定の内容（以下、「作業項目」とも呼ぶ。）が記載される欄である。作業項目欄２０の配置は、時系列などの時間的な意味を持たないので、ユーザは予定を単純に羅列して記載することができる。もちろん、ユーザが工夫して、時間的に早い予定から順に縦方向に羅列して記載してもよい。
【００２３】
略分類欄３０は、作業項目の分類が記載される欄である。略分類欄３０には、重要度欄３１と、仕事チェック欄３２と、個人チェック欄３３とが含まれる。
【００２４】
重要度欄３１は、作業項目の重要度が記載される欄である。例えば、ユーザは、作業項目の相対的な重要度のレベルをＡ、Ｂ、Ｃの３つに区分けし、作業項目欄２０に記載された作業項目に対応する重要度を記載することができる。
【００２５】
もちろん、重要度欄３１の替わりに、作業項目の優先度が記載される優先度欄や、作業項目の緊急度が記載される緊急度欄を設けるようにしてもよい。なお、重要度欄３１は、作業項目欄２０との対応関係が分かれば略分類欄３０内に配置されなくてもよい。
【００２６】
仕事チェック欄３２は、作業項目がユーザの仕事や業務に関連する場合に、そのことを示す文字、記号等が記載される欄である。個人チェック欄３３は、作業項目がユーザのプライベートに関連する場合に、そのことを示す文字、記号等が記載される欄である。
【００２７】
例えば、ユーザは、作業項目がユーザの仕事に関連するものである場合には、仕事チェック欄３２に、作業項目がユーザのプライベートに関連するものである場合には、個人チェック欄３３に、チェックマークや丸マーク、その他文字や記号を記入すればよい。なお、仕事チェック欄３２および個人チェック欄３３は、作業項目欄２０との対応関係が分かれば略分類欄３０内に配置されなくてもよい。
【００２８】
第一の予定記載欄４０は、作業項目の、第一の期間における進捗や進捗に関する情報が記載される欄である。本実施形態では、第一の期間は、１週間（月〜日）であり、第一の予定記載欄４０には、１週間の各日に対応する欄が横方向に配置されている。
【００２９】
例えば、ユーザは、特定の日の予定については、当該予定日に対応する欄に当該予定の開始時間（発生時間）や時間帯などを記入し、複数の連続する日に渡る予定については、当該予定日に対応する欄に実線や矢印などを記入することができる。また、第一の期間と第二の期間にまたがる予定については、例えば、ユーザは、第一の予定記載欄４０及び第二の予定記載欄６０にまたがって実線や矢印などを記入してもよい。なお、第一の期間は、１週間に限られず、例えば、後述するように、１ヵ月であってもよいし、１年以上の所定年数、半期、四半期、１日以上の所定日数、１時間以上の所定時間などであってもよい。
【００３０】
進捗チェック欄５０は、作業項目の第一の期間における進捗状況に関する情報が記載される欄である。例えば、ユーザは、作業項目が第一の期間において完了した場合、完了を示す文字や記号を進捗チェック欄５０に記入し、作業項目が第一の期間において完了せずに第二の期間にも継続する場合、継続を示す文字や記号を進捗チェック欄５０に記入することができる。なお、進捗チェック欄５０に加えて又は替わりに、第二の期間に対応する進捗チェック欄を設けてもよい。
【００３１】
第二の予定記載欄６０は、作業項目の、第一の期間の次の第二の期間における進捗や進捗に関する情報が記載される欄である。本実施形態では、第二の期間は、第一の予定記載欄４０に対応する１週間（月〜日）の次の１週間（月〜日）であり、第二の予定記載欄６０には、１週間の各日に対応する欄が横方向に配置されている。ここで、第二の予定記載欄６０は第一の予定記載欄４０の補足的な欄であるため、第一の予定記載欄４０の記載量を第二の予定記載欄６０の記載量よりも多くするべく、第二の予定記載欄６０の横幅は、第一の予定記載欄４０よりも狭く構成されている。もちろん、横幅は同じであってもよい。
【００３２】
第二の予定記載欄６０の記載方法は、第一の予定記載欄４０と同様である。なお、第二の期間は、１週間に限られず、例えば、後述するように、１ヵ月であってもよいし、１年以上の所定年数、半期、四半期、１日以上の所定日数、１時間以上の所定時間などであってもよい。
【００３３】
備考欄７０は、作業項目に関する情報が追加的に記載される欄である。例えば、ユーザは、他の欄に記載できなかった情報や、作業項目が第二の期間の次の期間へと継続するか否かを示す情報を記載すればよい。なお、備考欄７０は、手帳シート１に含まれていなくてもよい。
【００３４】
上記の手帳シート１は、例えば、図３に示すように、綴じ手帳１００に採用することができる。本図の例では、手帳シート１は、見開き２ページとなるように適用されている。また、上記の手帳シート１は、例えば、図４に示すように、システム手帳２００に採用することができる。本図の例では、手帳シート１は、見開き２ページを構成するように分割されてリフィルとして適用されている。
【００３５】
なお、ある見開き２ページの第一の期間は、前の見開き２ページの第二の期間に対応し、ある見開き２ページの第二の期間は、次の見開き２ページの第一の期間に対応する。また、見出し欄２には、当該見開き２ページが対応している範囲、すなわち、第一の期間に対応する期間（例えば、「６月第５週」）と、第二の期間に対応する期間（例えば、「（７月第１週）」とが対応付けられて印刷されている。また、見出し欄２には、当該見開き２ページの第一の予定記載欄４０が対応している期間（例えば、「今週（６／２８〜７／４）」）と、第二の予定記載欄６０が対応している期間（例えば、「次週（７／５〜７／１１）」）とが印刷されている。
【００３６】
以上、本考案の一実施形態について説明した。本実施形態によれば、仕事及び個人の予定の進捗をより管理し易くなる。
【００３７】
すなわち、本実施形態では、作業項目を基準として、作業項目を記載する欄ごとに、重要度、仕事と個人の分類、スケジュール、及びスケジュールの進捗状況を記載する欄が対応付けられている。このような構成により、ユーザは、仕事及び個人の作業項目を一見して区別して把握できるとともに、それぞれの作業項目の進捗を一見して把握することができる。また、各作業項目の重要度を管理することができるため、より正確な進捗管理をすることができる。また、仕事及び個人の作業項目を併せて管理することができるため、より正確な進捗管理をすることができる。
【００３８】
例えば、図２の記載例では、複数の作業項目のうち、特定の重要度の項目を簡単に把握できる。また、仕事又は個人に分類される作業項目を簡単に把握できる。また、注目した作業項目のスケジュール（例えば、いつ行われるか、いつからいつまで行われるかなど）を簡単に把握できるとともに、複数の作業項目のスケジュールの関連性（例えば、今週はどの作業があるか、どの作業項目が並行しているかなど）を簡単に把握できる。また、作業項目が今週（第一の期間）中に完了したか否か、次週（第二の期間）に継続するのか否かなどの進捗状態などを簡単に把握できる。
【００３９】
また、本実施形態では、各作業項目の行は、通常は、上から下に向かって順に記載される。そのため、ユーザの作業項目の数が少なければ、未記入の欄が増え、自由に記入するスペースを得ることができる。
【００４０】
なお、上記の本考案の実施形態は、本考案の要旨と範囲を例示することを意図し、限定するものではない。多くの代替物、修正および変形例が当業者にとって明らかである。
【００４１】
例えば、手帳シート１に、第二の予定記載欄６０に加え、第二の期間に続く一以上の予定記載欄が設けられていてもよい。複数の予定記載欄が見開き２ページに収まらない場合には、３ページ以降に印刷されてもよいし、手帳シート１を後述するように折り畳み方式として構成してもよい。また、例えば、綴じ手帳１００又はシステム手帳２００において、手帳シート１の縦方向に記載欄３の作業項目行を補充するため予備シートを用意してもよい。予備シートは、例えば、手帳シート１に貼り付けられるようになっている。
【００４２】
また、例えば、略分類欄３０において、仕事チェック欄３２及び個人チェック欄３３の二つに限られず、これらに加えて他のチェック欄を備えるようにしてもよい。例えば、作業項目がユーザの家庭に関連する場合に、そのことを示す文字、記号等が記載される家庭チェック欄を備えるようにしてもよい。「その他」のチェック欄を備えるようにしてもよい。また、例えば、仕事チェック欄３２及び個人チェック欄３３を、一つのチェック欄として構成し、該チェック欄に仕事又は個人を示す文字、記号等をユーザが記入するようにしてもよい。
【００４３】
図５本考案の一実施形態に係る手帳シートの第一変形例を示す図である。
【００４４】
本変形例の手帳シート１Ａは、手帳シート１の横幅をより長くし、手帳に採用した際に、折り畳んで手帳の１ページサイズに収めることができるように構成されている。手帳シート１Ａは、例えば、第一の期間及び第二の期間に加え、第二の期間に続く一以上の期間に対応する予定記載欄を備えて構成される。もちろん、期間を増やすのではなく、第一の期間及び第二の期間に対応する予定記載欄の横幅を長くするようにしてもよい。
【００４５】
第一変形例によれば、上述の実施形態よりも長い期間のスケジュールをより管理し易くなる。本変形例は、１年間などの長期のスケジュールを管理するための手帳シートに適している。
【００４６】
図６は、本考案の一実施形態に係る手帳シートの第二変形例を用いた綴じ手帳を示す図である。
【００４７】
本変形例の手帳シート１Ｂは、手帳シート１を９０度回転させて手帳の見開き２ページに収まるように構成されている。手帳シート１Ｂは、見出し欄２を１ページに収めることができるため、２ページ以降を記載欄３だけのページとして構成することができる。本変形例を、第一変形例のように折り畳める構成として、より多くの記載欄３を含むように構成してもよい。
【００４８】
第二変形例によれば、上述の実施形態よりも多い作業項目をより管理し易くなる。
【００４９】
図７は、本考案の一実施形態に係る手帳シートの第三変形例を示す図である。図８は、本考案の一実施形態に係る手帳シートの第三変形例の記載例を示す図である。
【００５０】
本変形例の手帳シート１Ｃは、手帳シート１の第一の予定記載欄４０及び第二の予定記載欄６０に替えて、第一の予定記載欄４０Ｃ及び第二の予定記載欄６０Ｃを備えて構成される。
【００５１】
本変形例では、第一の期間は、１ヵ月（第１週〜第５週または第６週）であり、第一の予定記載欄４０Ｃには、１ヵ月の各週に対応する欄が横方向に配置されている。また、第二の期間は、第一の予定記載欄４０Ｃに対応する１ヵ月（第１週〜第５週または第６週）の次の１ヵ月（第１週〜第５週または第６週）であり、第二の予定記載欄６０Ｃには、１ヵ月の各週に対応する欄が横方向に配置されている。ここで、第二の予定記載欄６０Ｃの横幅は、第一の期間の記載量を第二の期間の記載量よりも多くするため、第一の予定記載欄４０Ｃよりも小さく構成されている。
【００５２】
第三変形例によれば、上述の実施形態よりも長い期間のスケジュールをより管理し易くなる。なお、本変形例には、上述した各種変形例を適用してもよい。
【符号の説明】
【００５３】
１：手帳シート、１Ａ：手帳シート、１Ｂ：手帳シート、１Ｃ：手帳シート、２：見出し欄、３：記載欄、１０：項目番号欄、２０：作業項目欄、３０：略分類欄、３１：重要度欄、３２：仕事チェック欄、３３：個人チェック欄、４０：第一の予定記載欄、４０Ｃ：第一の予定記載欄、５０：進捗チェック欄、６０：第二の予定記載欄、６０Ｃ：第二の予定記載欄、７０：備考欄、１００：綴じ手帳、２００：システム手帳
【図１】
0003164859.tif 000003
【図２】
0003164859.tif 000004
【図３】
0003164859.tif 000005
【図４】
0003164859.tif 000006
【図５】
0003164859.tif 000007
【図６】
0003164859.tif 000008
【図７】
0003164859.tif 000009
【図８】
0003164859.tif 000010
【手続補正書】
【提出日】平成22年10月18日(2010.10.18)
【手続補正１】
【補正対象書類名】実用新案登録請求の範囲
【補正対象項目名】全文
【補正方法】変更
【補正の内容】
【実用新案登録請求の範囲】
【請求項１】
手帳であって、
前記手帳の手帳シートは、
第一の方向に、作業項目を記載する作業項目欄が並べられており、
前記作業項目欄ごとに、前記第一の方向と直交する第二の方向に、複数の欄が並べられており、
前記複数の欄には、当該作業項目が仕事に関するものである場合にその旨を記載する仕事欄と、当該作業項目が個人に関するものである場合にその旨を記載する個人欄と、当該作業項目に関する第一の期間の予定を記載する第一の予定欄と、当該作業項目に関する前記第一の期間の次の継続する第二の期間の予定を記載する第二の予定欄とが含まれる、
ことを特徴とする手帳。
【請求項２】
請求項１に記載の手帳であって、
前記複数の欄には、さらに、当該作業項目の重要度を記載する重要度欄が含まれる、
ことを特徴とする手帳。
【請求項３】
請求項１又は２に記載の手帳であって、
前記複数の欄には、さらに、前記第一の期間の予定の進捗状況を記載する進捗欄が含まれる、
ことを特徴とする手帳。
【請求項４】
請求項１〜３いずれか一項に記載の手帳であって、
前記第二の予定欄は、前記第二の方向の幅が前記第一の予定欄よりも小さい、
ことを特徴とする手帳。
【請求項５】
請求項１〜４いずれか一項に記載の手帳であって、
前記複数の欄には、前記第一の予定欄及び前記第二の予定欄に加え、当該作業項目に関する一以上の期間の予定を記載する一以上の予定欄が含まれ、前記手帳シートは１ページ内に収まるように折り畳み可能である、
ことを特徴とする手帳。
【請求項６】
請求項１〜５いずれか一項に記載の手帳であって、
前記手帳の左右見開きの状態において、前記第一の方向は、縦方向であり、前記第二の方向は、横方向である、
ことを特徴とする手帳。
【請求項７】
請求項１〜５いずれか一項に記載の手帳であって、
前記手帳の上下見開きの状態において、前記第一の方向は、縦方向であり、前記第二の方向は、横方向である、
ことを特徴とする手帳。
【手続補正２】
【補正対象書類名】明細書
【補正対象項目名】０００６
【補正方法】変更
【補正の内容】
【０００６】
上記の課題を解決するための本発明の一態様は、
手帳であって、
前記手帳の手帳シートは、
第一の方向に、作業項目を記載する作業項目欄が並べられており、
前記作業項目欄ごとに、前記第一の方向と直交する第二の方向に、複数の欄が並べられており、
前記複数の欄には、当該作業項目が仕事に関するものである場合にその旨を記載する仕事欄と、当該作業項目が個人に関するものである場合にその旨を記載する個人欄と、当該作業項目に関する第一の期間の予定を記載する第一の予定欄と、当該作業項目に関する前記第一の期間の次の継続する第二の期間の予定を記載する第二の予定欄とが含まれる、
ことを特徴とする。
【手続補正３】
【補正対象書類名】明細書
【補正対象項目名】０００７
【補正方法】変更
【補正の内容】
【０００７】
ここで、上記の手帳であって、
前記複数の欄には、さらに、当該作業項目の重要度を記載する重要度欄が含まれる、
ことを特徴としていてもよい。
【手続補正４】
【補正対象書類名】明細書
【補正対象項目名】０００８
【補正方法】変更
【補正の内容】
【０００８】
また、上記のいずれかの手帳であって、
前記複数の欄には、さらに、前記第一の期間の予定の進捗状況を記載する進捗欄が含まれる、
ことを特徴としていてもよい。
【手続補正５】
【補正対象書類名】明細書
【補正対象項目名】０００９
【補正方法】変更
【補正の内容】
【０００９】
また、上記のいずれかの手帳であって、
前記第二の予定欄は、前記第二の方向の幅が前記第一の予定欄よりも小さい、
ことを特徴としていてもよい。
【手続補正６】
【補正対象書類名】明細書
【補正対象項目名】００１０
【補正方法】変更
【補正の内容】
【００１０】
また、上記のいずれかの手帳であって、
前記複数の欄には、前記第一の予定欄及び前記第二の予定欄に加え、当該作業項目に関する一以上の期間の予定を記載する一以上の予定欄が含まれ、前記手帳シートは１ページ内に収まるように折り畳み可能である、
ことを特徴としていてもよい。
【手続補正７】
【補正対象書類名】明細書
【補正対象項目名】００１１
【補正方法】変更
【補正の内容】
【００１１】
また、上記のいずれかの手帳であって、
前記手帳の左右見開きの状態において、前記第一の方向は、縦方向であり、前記第二の方向は、横方向である、
ことを特徴としていてもよい。
【手続補正８】
【補正対象書類名】明細書
【補正対象項目名】００１２
【補正方法】変更
【補正の内容】
【００１２】
また、上記のいずれかの手帳であって、
前記手帳の上下見開きの状態において、前記第一の方向は、縦方向であり、前記第二の方向は、横方向である、
ことを特徴としていてもよい。